(57)【要約】  【課題】トンネルの内壁に取り付けられるような照明器具において、雰囲気温度によらず、光源ランプの照度を維持し、照明効率を向上させる。  【解決手段】器具本体２内に放電ランプ４１，４２が２灯収納されている。一方の蛍光ランプ４２のみに最冷部の近傍にパネルヒータ５ｃを設ける。冬期や夜間など器具内部の温度が低い時には、パネルヒータ５ｃの設置されている蛍光ランプ４２を点灯させ、夏季などではヒータのない側の蛍光ランプ４１を点灯させる。  【選択図】  図３
2006216497.tif 000002
【特許請求の範囲】
【請求項１】
開口端を有するシャーシ、このシャーシに装着される投光開口を有する蓋体およびこの蓋体の投光開口に配設される透光性カバーを備えた器具本体と；
器具本体内に配設された少なくとも２灯の放電ランプと；
この器具本体内の少なくとも１灯の放電ランプの最冷部近傍に配設されるヒータと；
を具備したことを特徴とする照明器具。
【請求項２】
ヒータつきの放電ランプと、ヒータなしの放電ランプが器具本体内に配設され、季節や時間によって、これらの放電ランプが選択的に点灯されることを特徴とする請求項１記載の照明器具。
【請求項３】
ヒータつきの放電ランプと、ヒータなしの放電ランプが器具本体内に配設され、周囲温度によって、これらの放電ランプが選択的に点灯されることを特徴とする請求項１記載の照明器具。
【発明の詳細な説明】
【技術分野】
【０００１】
本発明は、トンネルなどに使用される照明器具に関する。
【背景技術】
【０００２】
従来、トンネル用照明器具は、光源として例えば低圧ナトリウムランプや蛍光ランプなどがよく知られている。そして、比較的少数の照明器具によって、主として路面を効率よくかつ、その通行方向に沿ってなるべく連続する一様な明るさで照明できるように設計されている。このため、近年では長手方向により効率よく照明するために光源に比較的長い蛍光ランプを用いる照明器具が用いられる。
【０００３】
しかしながら、蛍光ランプは周囲温度によって効率が異なることが知られている。例えば、周囲温度が２０〜２５℃において最も効率よく発光することができるが、周囲温度が高いときや低い時ではランプ光束が非常に低下する。特に、トンネル照明器具のように屋外で用いられる器具においては、周囲温度の影響を受けやすく、ランプ効率が変化しやすいという問題があった。
【０００４】
特に、トンネル照明器具は外部の排気ガスや粉塵の進入を防止するため、内部が気密に密閉されているため、内部に収納しているランプや安定器からの発熱によって内部が高温となりやすく、ランプの温度も上昇してランプの効率が低下することがあった。このため、あらかじめ周囲温度が４０〜５０℃のときに効率がもっとも高くなるように調整した蛍光ランプを使用したり（特開平１０−３０８１０９号公報）、ランプに入力する電力を調整してランプの温度が上昇し過ぎないように調整し、気密に密閉した状態でランプの定格の光束が出力されるような電力（ＲＢ比）をランプに供給する専用安定器を設置するなどのことが考えられている。
【０００５】
また、トンネル照明は室外で用いられるためさらに環境の厳しい場所に設置するため寒冷地のように周囲温度の低い場所に設置され、ランプの効率が低下することもある。このため、実公昭６３−３３３２１号公報には、蛍光ランプの温度が維持できるように温度維持手段を備えた蛍光灯器具として、図６のように周囲温度が低いときには反射板の裏側に設けられたヒータによって蛍光灯を加熱する蛍光灯器具（従来例）が開示されている。
【０００６】
また、特開２００４−２５９６６９号公報には、トンネル用照明器具のように密閉型の器具であって、雰囲気温度によらず、光源ランプの照度を維持し、照明効率を向上させることを目的として、放電ランプの最冷部の近傍にパネルヒータを設け、パネルヒータは放電ランプが調光点灯のときのみ動作させる。照明器具が開示されている。
【特許文献１】特開平１０−３０８１０９号公報
【特許文献２】実公昭６３−３３３２１号公報  図６
【特許文献３】特開２００４−２５９６６９号公報
【発明の開示】
【発明が解決しようとする課題】
【０００７】
さらに近年では、メンテナンス作業の低減を考慮して照明器具内のランプを複数本備えて交互に点灯させることによって、ランプ交換の時期を延長させているトンネル照明器具もある。
【０００８】
しかしながら、このように器具内に複数本のランプを備えたトンネル照明器具が、放電ランプの低温特性改善のため、器具内に配設されるランプにそれぞれヒータなどを取付けていることは、経済的にも好ましくなく、配線作業も煩雑になる。また、ヒータの数などが増える事によって器具内部の温度が高くなりすぎてしまう虞が有り、蛍光ランプの温度特性上効率が低下してしまうおそれもある。
【０００９】
このため、本発明では器具内に複数灯のランプを内蔵し、寒冷地などにおいても効率よく照明できる照明器具を提供することを目的とする。
【課題を解決するための手段】
【００１０】
請求項１の発明の照明器具は、開口端を有するシャーシ、このシャーシに装着される投光開口を有する蓋体およびこの蓋体の投光開口に配設される透光性カバーを備えた器具本体と；器具本体内に配設された少なくとも２灯の放電ランプと；この器具本体内の少なくとも１灯の放電ランプの最冷部近傍に配設されるヒータと；を具備したことを特徴とする
【００１１】
本発明および以下の各発明において、特に指定しない限り、用語の定義および技術的な意味は次による。
【００１２】
放電ランプが蛍光ランプの場合、その最冷部は屈曲形蛍光ランプの場合は、発光管の屈曲した部分に形成され、直管形蛍光ランプの場合は、発光管部分の中央部分に形成されやすい。また、無電極放電ランプである場合は発光管端部に形成されるチップ部に最冷部は形成される。そうして、ヒータは放電ランプの前述した最冷部の付近を加熱可能となるような最冷部近傍に配置されればよく、反射板や器具本体などと一体に形成することも許容する。
【００１３】
ヒータの形状は、パネルヒータのような面状、線状、棒状など全ての形状を許容する。さらには放電ランプの最冷部形状に嵌合可能な形状や、接触可能な形状であるとさらに好適である。
【００１４】
請求項２の発明は請求項１記載の照明器具であって、ヒータつきの放電ランプと、ヒータなしの放電ランプが器具本体内に配設され、季節や時間によって、これらの放電ランプが選択的に点灯されることを特徴とする。
【００１５】
このような照明器具は電源供給やその制御をトンネル外部に設けられた電源盤や中央監視装置などで行っている。このような電源盤や中央監視装置などにカレンダー機能やタイマ機能が付加されている。このような機能を用いて冬期や夜間にはヒータの設置されている側の放電ランプを点灯させ、夏季などではヒータの設置されていない側の放電ランプ側の放電ランプを点灯させるように、トンネル器具内部に設置された複数の放電ランプが略交互に点灯するように制御を行う。
【００１６】
請求項２の発明は、請求項１の照明器具であって、ヒータつきの放電ランプと、ヒータなしの放電ランプが器具本体内に配設され周囲温度によって、これらの放電ランプが選択的に点灯されることを特徴とする。
【００１７】
周囲温度は、電源盤や中央制御装置に温度検知器を取付けるなどして検知し、その温度によってヒータつきの放電ランプとヒータのない放電ランプを選択的に点灯させる。または、器具内部に温度検知器を備えその温度検知によって点灯するランプを選定するように設定することも許容する。
【発明の効果】
【００１８】
請求項１の発明によれば、ヒータを最冷部近傍に備えたランプと、ヒータの無いランプが器具内に配設されるので、ヒータの要否によって点灯するランプを選択することができ、部品点数を最小限にしながら最適な照明ができる。
【００１９】
請求項２または請求項３の発明によれば、周囲温度の低い冬季にはヒータつきのランプを使用して低温特性を改善して使用することができ、それ以外の季節にはヒータなしのランプを使用することができるため、周囲温度によらず所定の照度でトンネルなどを照明でき、メンテナンス回数を減らすことができる。
【発明を実施するための最良の形態】
【００２０】
本発明のトンネル用照明器具の実施形態を図１ないし図３を参照して説明する。なお、これらの図中、同一または相当部分には同一符号を付して、重複した説明の記載は省略または簡略化している。
【００２１】
図１は本発明の実施形態に係る例えばトンネル用の照明器具１の正面図、図２は放電ランプ固定状態の要部拡大図、図３は、器具本体２内部の配線図である。この図１に示すように照明器具は、例えばステンレス製等の密閉形の器具本体２内に、その投光開口に対向するように反射体３を配設し、この反射体３に光学的に対向するように屈曲形蛍光ランプ４を２灯配設している。
【００２２】
上記器具本体２は、例えばＪＩＳ  Ｃ８１４０で規定する防噴流用器具本体等の密閉形に構成されており、如何なる方向からの水の直接噴流を受けても有害な影響が出ないように構成されており、複数の取付脚２ａ，２ａ，…を備えたシャーシ２ｂの投光開口端に、パッキン２ｃを介してほぼ長方形の投光開口を有する蓋体２ｄを装着し、この蓋体２ｄの投光開口に透光性カバー２ｅを水密かつ気密に嵌合させ、シリコン系等の接着剤２ｆにより固着している。
【００２３】
蓋体２ｃは、ヒンジ２ｇによりシャーシ２ｂに開閉可能に取り付けられ、ヒンジ２ｆの反対側にシャーシ２ｂに設けられたラッチ２ｈによって閉塞された状態が保持される。このとき、蓋体２ｃによる閉塞縁はパッキンにより水気や粉塵が浸入しないような処理が施されている。また、透光性カバー２ｅには、透明なガラス板が使用されている。シャーシ２ｂの各取付脚２ａには、ネジ穴２ｅ１が形成されており、このネジ穴２ｅ１を利用してトンネル内壁６などに設けられたステー等の取り付け装置６ａにネジ止めによって固定される。
【００２４】
そして、このように構成された器具本体２内部には、主反射体３を配設している。主反射体３は長手方向横断面が凹弧面をなす内面を細長い反射面に形成している。なお、主反射面の長手方向横断面の形状は、凹状であればよく、曲面状、平面の組合せまたは曲面と平面の組合せ等どのような形状であってもよい。但し、長手方向に亘ってその主たる部分が同じ断面形状になっていることが好ましい。また、反射面は鏡面または梨地などに仕上げられており設置場所などに応じて所望の配光が得られるような形状をなしている。さらに、ランプの灯数と同数の反射板を設置することも許容する。
【００２５】
さらに、主反射体３の内側には、屈曲形蛍光ランプ４１、４２を２灯配設している。蛍光ランプ４１、４２は、その軸方向一端側に設けられた片口金４ａをランプソケットに嵌め込むことで固定されている。さらに蛍光ランプ４１，４２の先端の屈曲されている部分には、先端を固定する固定金具５１，５２が取り付けられる。
【００２６】
図２は、このヒータつきの固定金具５２を取付けた状態の（ａ）は側面図、（ｂ）は正面図を示している。固定金具５１，５２は蛍光ランプ４１、４２の側壁を保持し器具本体２に固定する保持部５ａおよび保持部５ａに取付けられ、蛍光ランプの屈曲部分の先端に当接するように接地される放熱部５ｂによって構成され、蛍光ランプ４１、４２の最冷部の温度が高温になり過ぎないように放熱させる効果を有している。
【００２７】
２灯の蛍光ランプのうちの１灯の蛍光ランプ４２を取付ける固定金具５２の放熱部５ｂの表面にはパネルヒータ５ｃが設置され、もう一方の蛍光ランプ４１にはヒータは取付けられていない。
【００２８】
また、器具本体２内部の主反射体３の配設されていない場所には、２灯の蛍光ランプ４１，４２を点灯させるための安定器６が２台および端子台７が配置される。安定器６は、蛍光ランプ４１、４２の始動・点灯維持を行う。外部に取り付けられる電源盤１０からの２００Ｖ電源１０ａおよび各蛍光ランプ４１、４２の点灯制御を行う点滅信号１０ｂ１，１０ｂ２，１０ｂ３（ＣＯＭ）が端子台７に供給される。安定器６の電源端子６ａ、６ｂと電源電圧２００Ｖが接続され点滅信号１０ｂ１、１０ｂ２が供給される事によってそれぞれのリレーＲ１，Ｒ２がオンすることによって、安定器６の電源電圧が供給され、ランプ４１またはランプ４２を点灯する。同時にリレーＲ２にはサーマルスイッチＳを介して、蛍光ランプ４２の取付金具５２の先端に取付けられているパネルヒータ５ｃの電源が接続されている。サーマルスイッチＳは例えば、周囲温度が１０℃以上となるとスイッチは開放となりパネルヒータ５ｃはオフするように設定している。
【００２９】
電源盤１０では、点滅信号１０ｂ１，１０ｂ２，１０ｂ３（ＣＯＭ）を発信する点滅信号制御部１０ｂ備えており、点滅信号制御部１０ｂにはカレンダー機能やタイマ機能を有している。例えば冬期には、先端にパネルヒータ５ｃを接地している取付金具５２に取り付けられている蛍光ランプ４２に点灯信号１０ｂ２、１０ｂ３（ＣＯＭ）を与え、蛍光ランプ４２を点灯させるようにし、夏季にはパネルヒータ５ｃが設置されていない側の蛍光ランプ４１を点灯させるように点滅信号１０ｂ１，１０ｂ３（ＣＯＭ）を与える制御を行う。
【００３０】
このように蛍光ランプ４１，４２を選択的に点灯させることによって、冬期には蛍光ランプの温度特性による低温時の光束の低下することを、パネルヒータ５ｃを取付ける事によって改善し、夏季には低温時の光束の低下の問題が無いのでパネルヒータ５ｃを取付けない側の蛍光ランプ４１を点灯させることによって、パネルヒータ５ｃの部品などが増えることを抑制することができる。また、季節によって交互に蛍光ランプ４１，４２を点灯させているので、ランプ交換の時期を延長させて使用することができ、メンテナンス作業を減らすことができる。
【００３１】
また、他の実施形態の例として、点滅信号制御部に温度検知器を備え、周囲温度の低下によって点灯させるランプを選択させることもできる。
【図面の簡単な説明】
【００３２】
【図１】本発明の第１の実施形態照明器具の正面図。
【図２】同じく要部拡大図。
【図３】同じく照明器具内部の回路配線を示す図。
【符号の説明】
【００３３】
２…器具本体  ３…主反射体  ４１，４２…光源ランプ（屈曲形蛍光ランプ）  ５ｃ…パネルヒータ  ６・・・安定器  １０・・・電源盤
【図１】
2006216497.tif 000003
【図２】
2006216497.tif 000004
【図３】
2006216497.tif 000005